(57)【要約】【課題】上下に開口が設けられた器具本体に対して蛍光灯を着脱する際にも、開口の補強を維持できる照明器具を提供する。【解決手段】照明器具１０は、直管状の蛍光灯１４と、蛍光灯１４を収容する筒状の器具本体１３と、器具本体１３の内部において蛍光灯１４の両端部を支持する一対のソケット１５と、器具本体１３における蛍光灯１４の径方向に沿った両側に設けられた第１開口２５および第２開口２６と、第１開口２５の開口形状を維持するために、第１開口２５の幅方向に沿って第１開口２５を横断する補強部材２０とを有している。補強部材２０は、第１開口２５の幅方向に沿う回動軸３３を介して器具本体１３に連結されている。【選択図】図８
2010103039.tif 000002
【特許請求の範囲】
【請求項１】
直管状の蛍光灯と、
前記蛍光灯を収容する筒状の器具本体と、
前記器具本体の内部において前記蛍光灯の両端部を支持する一対のソケットと、
前記器具本体における前記蛍光灯の径方向に沿った両側に設けられた第１開口および第２開口と、
前記第１開口の開口形状を維持するために、前記第１開口の幅方向に沿って前記第１開口を横断する補強部材と、を有し、
前記補強部材が、前記第１開口の幅方向に沿う回動軸を介して前記器具本体に連結されていることを特徴とする照明器具。
【請求項２】
前記補強部材が、前記回動軸を中心として前記器具本体に対して起立するように回動したときに、前記第１開口を通じて前記器具本体に対して挿脱される前記蛍光灯との干渉を避ける切欠を有していることを特徴とする請求項１に記載の照明器具。
【請求項３】
前記補強部材が、前記第１開口の長手方向中央部に設けられていることを特徴とする請求項１または請求項２に記載の照明器具。
【請求項４】
前記補強部材が、前記第１開口に沿って配置されているとき、前記器具本体の輪郭形状から突出しないことを特徴とする請求項１ないし請求項３のいずれかに記載の照明器具。
【発明の詳細な説明】
【技術分野】
【０００１】
本発明は、筒状の器具本体の内部に直管状の蛍光灯が挿脱（着脱）自在に支持された照明器具に関するものである。
【背景技術】
【０００２】
従来の照明器具は、図１６に示すように、直管状の蛍光灯１００を交換する場合を考慮して、作業者が器具本体１０１の下方から蛍光灯１００の両側面１００Ａを径方向に指でつかむ（挟み込む）だけのクリアランス（空間）１０２が蛍光灯１００と反射鏡１０３との間に設けられている。
【０００３】
蛍光灯１００を交換する際には、クリアランス（空間）１０２に差し込んだ指で蛍光灯１００の両側面１００Ａをつかんだ（挟み込む）後、ソケットが回転式の場合は蛍光灯１００を回転して蛍光灯１００の口金をソケットから取り外す。
【０００４】
また、ソケットが押し込み式の場合は、蛍光灯１００を蛍光灯１００の軸方向に沿って片側に押し込み、ソケットのプランジャを圧縮させた状態で蛍光灯１００を引き下げることにより蛍光灯１００の口金をソケットから取り外す。
蛍光灯１００の取付作業は逆の手順で行われる（例えば、特許文献１参照）。
【特許文献１】特開２００６−１２５３５号公報
【発明の開示】
【発明が解決しようとする課題】
【０００５】
ところで、近年では、例えば上方への照明を得るとともに、器具本体に対する蛍光灯の着脱を行うために、器具本体の上方に開口が設けられた照明器具が提案されている。
このような照明器具は、器具本体の上下に蛍光灯の略全長に対応した開口が設けられているため、開口が歪んで器具本体が変形する可能性がある。
【０００６】
このため、図１７（Ａ）に示すように、前述した照明器具１１０は、上方の開口１１１の長手方向中央部１１２に補強部材１１３が設けられる。
補強部材１１３は、開口１１１を幅方向に沿って横断するように配置され、図１７（Ｂ）に示すように器具本体１１５に対して着脱可能であるか、あるいは図１７（Ｃ）に示すように開口１１１の長手方向に沿って設けられたヒンジ１１７等を介して器具本体１１５に連結される。
【０００７】
しかしながら、このような照明器具１１０は、器具本体１１５に対する蛍光灯の着脱を行うにあたって、蛍光灯との干渉を避けるために、その都度、器具本体１１５から補強部材１１３が完全に取り外されるか、あるいはヒンジ１１７を介して回動されることになる。
従って、このような照明器具１１０は、蛍光灯の着脱時に上方の開口１１１が補強されない状態となるため、器具本体１１５が変形する虞がある。
【０００８】
本発明は、前述した要望を満たすためになされたもので、その目的は、上下に開口が設けられた器具本体に対して蛍光灯を着脱する際にも、開口の補強を維持できる照明器具を提供することにある。
【課題を解決するための手段】
【０００９】
本発明の照明器具は、直管状の蛍光灯と、前記蛍光灯を収容する筒状の器具本体と、前記器具本体の内部において前記蛍光灯の両端部を支持する一対のソケットと、前記器具本体における前記蛍光灯の径方向に沿った両側に設けられた第１開口および第２開口と、前記第１開口の開口形状を維持するために、前記第１開口の幅方向に沿って前記第１開口を横断する補強部材と、を有し、前記補強部材が、前記第１開口の幅方向に沿う回動軸を介して前記器具本体に連結されていることを特徴とする。
【００１０】
第１開口の幅方向に沿って第１開口を横断する補強部材を有し、この補強部材を第１開口の幅方向に沿う回動軸を介して器具本体に連結した。
これにより、蛍光灯の脱着時にも作業に支障を及ぼすことなく第１開口の開口形状を維持できる。
【００１１】
また、本発明は、前記補強部材が、前記回動軸を中心として前記器具本体に対して起立するように回動したときに、前記第１開口を通じて前記器具本体に対して挿脱される前記蛍光灯との干渉を避ける切欠を有していることを特徴とする。
【００１２】
補強部材に切欠を有することで、回動軸を中心として補強部材を起立させたとき、第１開口を通じて挿脱（着脱）される蛍光灯が補強部材に干渉することを避けることができる。
このように、蛍光灯が補強部材に干渉することを避けることで、蛍光灯の脱着時に蛍光灯の取り回しを容易にできる。
【００１３】
さらに、本発明は、前記補強部材が、前記第１開口の長手方向中央部に設けられていることを特徴とする。
【００１４】
補強部材を第１開口の長手方向中央部に設けたので、第１開口の形状を確実に維持できる。
【００１５】
また、本発明は、前記補強部材が、前記第１開口に沿って配置されているとき、前記器具本体の輪郭形状から突出しないことを特徴とする。
【００１６】
補強部材を第１開口に沿って配置した状態において、補強部材が器具本体の輪郭形状から突出しないようにすることで照明器具の外観性を良好に確保できる。
【発明の効果】
【００１７】
本発明の照明器具によれば、補強部材を第１開口の幅方向に沿う回動軸を介して器具本体に連結することで、上下に開口が設けられた器具本体に対して蛍光灯を着脱する際にも、開口の補強を維持でき、蛍光灯の脱着時にも作業に支障を及ぼさないようにできるという効果を有する。
【発明を実施するための最良の形態】
【００１８】
（第１実施形態）
以下、本発明の実施形態に係る照明器具について、図面を参照して説明する。
図１〜図４に示すように、照明器具１０は、天井１１に一対の吊具１２を介して懸架された器具本体１３と、器具本体１３内に配置された直管状の蛍光灯１４と、蛍光灯１４を器具本体１３の内部に支持する一対のソケット１５と、蛍光灯１４の光を器具本体１３の外方に反射する第１の反射部材１６および第２の反射部材１７と、器具本体１３の下部に設けられたルーバ１８と、器具本体１３の上部に設けられた補強部材２０とを備えている。
【００１９】
図３〜図４に示すように、器具本体１３は、蛍光灯１４を収容可能に筒状に形成され、蛍光灯１４の径方向に沿った上下側（両側）にそれぞれ設けられた第１開口２５および第２開口２６を備えている。
【００２０】
蛍光灯１４の上側の第１開口２５は、器具本体１３の長手方向に沿って略矩形状に形成されている。
この第１開口２５は、作業者の指２８（図１１参照）を挿通可能で、かつ、蛍光灯１４を挿通可能に開口幅Ｗ１、開口長さＬ１（図２参照）に形成されている。
【００２１】
また、蛍光灯１４の下側の第２開口２６は、第１開口２５と同様に、器具本体１３の長手方向に沿って略矩形状に形成されている。
この第２開口２６は、作業者の指２８（図１１参照）を挿通可能で、かつ、ルーバ１８を嵌合可能に開口幅Ｗ２、開口長さＬ２（図１参照）に形成されている。
【００２２】
ルーバ１８は、蛍光灯１４の長手方向に所定間隔Ｌ３をおいて複数のフィン２９（図１も参照）が設けられている。所定間隔Ｌ３は、隣接するフィン２９間に作業者の指２８を挿通可能に設定されている。
【００２３】
よって、第１開口２５および第２開口２６にそれぞれ作業者が指２８（図１１参照）を挿通させて蛍光灯１４を径方向に挟み、そのまま第１開口２５から蛍光灯１４を器具本体１３の上方に取り外すことができる。
このように、蛍光灯１４を挟む方向と、蛍光灯１４を挿脱（着脱）する方向とを同じにできるので、器具本体１３の内部に無駄な空間を設ける必要がなく照明器具１０を小型化できる。
【００２４】
図３に示すように、器具本体１３の両端部１３Ａには一対のソケット１５（一方のみを図示する）がそれぞれ設けられている。一対のソケット１５には、蛍光灯１４の両端部１４Ａに設けられた一対の口金３１（一方のみを図示する）が支持されている。
一対のソケット１５は、蛍光灯１４の着脱操作が回転式のソケットや押し込み式のソケットのいずれにも適用可能である。
【００２５】
図４に示すように、器具本体１３の内部には、器具本体１３の左右側に第１の反射部材１６が設けられるとともに、器具本体１３の左右側に第２の反射部材１７が設けられている。
【００２６】
左右の第１の反射部材１６は、第１開口２５の縁部２５Ａから蛍光灯１４の周面（左右の部位）１４Ｂに近付く位置まで蛍光灯１４の挿脱（着脱）方向に対して傾斜配置され、蛍光灯１４の光を第１開口２５から器具本体１３の外方に反射する部材である。
左右の第２の反射部材１７は、第２開口２６の縁部２６Ａから蛍光灯１４の周面（左右の部位）１４Ｂに近付く位置まで蛍光灯１４の挿脱（着脱）方向に対して傾斜配置され、蛍光灯１４の光を第２開口２６から器具本体１３の外方に反射する部材である。
【００２７】
左側の第１の反射部材１６および左側の第２の反射部材１７は、略へ字状に配置されている。
また、右側の第１の反射部材１６および右側の第２の反射部材１７は、略へ字状に配置されている。
【００２８】
器具本体１３の内部に第１の反射部材１６および第２の反射部材１７が設けられることで、左右の第１の反射部材１６で蛍光灯１４の光を反射させて第１開口２５から器具本体１３の外部に効率良く照射できる。
同様に、左右の第２の反射部材１７で蛍光灯１４の光を反射させて第２開口２６から器具本体１３の外部に効率良く照射できる。
【００２９】
ここで、図４に示すように、蛍光灯１４の周面（左右の部位）１４Ｂから器具本体１３の外側面１３Ｂまでの第１距離Ｌ４が蛍光灯１４の径Ｄ以下に設定されている。
また、蛍光灯１４の周面（上部位）１４Ｃから器具本体１３の第１開口２５の縁部２５Ａまでの上側第２距離（第２距離）Ｌ５が蛍光灯１４の径Ｄ以下に設定されている。
【００３０】
さらに、蛍光灯１４の周面（下部位）１４Ｄから器具本体１３の第２開口２６の縁部２６Ａまでの下側第２距離（第２距離）Ｌ６が蛍光灯１４の径Ｄ以下に設定されている。
これにより、器具本体１３の断面形状をコンパクトに形成できるので、器具本体１３の外側から蛍光灯１４を作業者の指２８で容易につかむ（挟持する）ことができる。
【００３１】
また、図５〜図７に示すように、器具本体１３の第１開口２５に補強部材２０が一対の回動軸３３を介して設けられている。
一対の回動軸３３は、第１開口２５の長手方向中央部３４において、第１開口２５の両側の部位３４Ａに設けられている。
【００３２】
この一対の回動軸３３は、第１開口２５の長手方向に対して直交させて同軸上に配置されている。一対の回動軸３３に補強部材２０が回動自在に設けられている。
よって、補強部材２０は、第１開口２５の幅方向に沿う一対の回動軸３３を介して器具本体１３に連結されることで、第１開口２５の長手方向中央部３４に設けられている。
【００３３】
補強部材２０は、第１開口２５の両側の部位３４Ａ間に配置可能な補強プレート３５と、補強プレート３５の両側に設けられるとともに回動軸３３に回動自在に支持された一対の脚部３６とを備えている。
この補強部材２０は、補強プレート３５および一対の脚部３６で略コ字状に形成されている。
【００３４】
一対の脚部３６の基部３６Ａが、一対の回動軸３３にそれぞれ回動自在に設けられている。また、補強プレート３５は、基部３５Ａに略Ｕ字状（凹状）の切欠３８が形成されている。
この補強部材２０は、図５〜図７に示すように第１開口２５に沿って配置された状態において、器具本体１３の輪郭形状から突出しないように形成されている。
【００３５】
このように、第１開口２５の幅方向に沿って第１開口２５を横断する補強部材２０が第１開口２５に設けられることで、補強部材２０で第１開口２５を補強可能となり、第１開口２５の開口形状を維持できる。
【００３６】
さらに、第１開口２５の両側の部位３４Ａに一対の回動軸３３が設けられ、一対の回動軸３３に補強部材２０が回動自在に設けられている。
よって、図８に示すように、回動軸３３を軸にして補強部材２０を矢印方向に立ち上げた場合でも、補強部材２０で第１開口２５を補強可能となり、第１開口２５の開口形状を維持できる。
【００３７】
このように、回動軸３３を軸にして補強部材２０を立ち上げることで、補強部材２０の補強プレート３５を第１開口２５の上方に配置することが可能になる。
よって、蛍光灯１４の脱着時にも作業に支障を及ぼすことなく第１開口２５の開口形状を維持できる。
【００３８】
また、補強部材２０を第１開口２５の長手方向中央部３４に設けることで、第１開口２５のうち剛性の弱い部位を補強部材２０で補強できる。よって、第１開口２５の形状を補強部材２０で確実（効率良く）に維持できる。
【００３９】
さらに、図５に示すように、補強部材２０が第１開口２５に沿って配置された状態において、器具本体１３の輪郭形状から突出しないようにすることで照明器具１０の外観性を良好に確保できる。
【００４０】
加えて、補強部材２０（補強プレート３５）に切欠３８を有することで、回動軸３３を中心として補強部材２０を器具本体１３に対して起立するように回動したときに、図９に示す切欠３８を第１開口２５の上方に一層高く配置することが可能になる。
【００４１】
よって、第１開口２５を通じて器具本体１３に対して挿脱（着脱）される蛍光灯１４が補強部材２０に干渉することを確実に避けることができる。
蛍光灯１４が補強部材２０に干渉することを避けることで、蛍光灯１４の脱着作業を容易にできる。
【００４２】
つぎに、照明器具１０の蛍光灯１４を挿脱（交換）する例を図１０〜図１２に基づいて説明する。
図１０に示すように、第１開口２５に設けた補強部材２０を回動軸３３を中心として器具本体１３に対して起立するように矢印Ａ方向に回動する。
【００４３】
ここで、図５に示すように、第１開口２５の両側の部位３４Ａに一対の回動軸３３を介して補強部材２０が回動自在に設けられている。
よって、補強部材２０を回動軸３３を軸にして立ち上げた場合でも、補強部材２０で第１開口２５を補強可能となり、第１開口２５の開口形状を維持できる。
この状態で、図９に示すように、補強部材２０の切欠３８が第１開口２５の上方にアーチ状に位置する。
【００４４】
図１１に示すように、第１開口２５および第２開口２６にそれぞれ作業者が指２８を上下方向から挿通させて蛍光灯１４を径方向に挟む。
蛍光灯１４を径方向に挟み込んだ状態で第１開口２５から器具本体１３の上方（すなわち、矢印Ｂ方向）に取り外す。
【００４５】
補強部材２０の切欠３８（図９参照）が第１開口２５の上方にアーチ状に位置している。よって、図１２に示すように、第１開口２５から蛍光灯１４を上方に取り出す際に、蛍光灯１４が補強部材２０（切欠３８）に干渉することを避けることが可能になり、蛍光灯１４の取外作業を容易にできる。
【００４６】
加えて、図１１に示すように、第１開口２５から蛍光灯１４を上方に取り出すことで、蛍光灯１４を挟む方向と、蛍光灯１４を挿脱する方向とを同じにできる。
これにより、器具本体１３の内部に無駄な空間を設ける必要がなく、照明器具１０を小型化できる。
【００４７】
蛍光灯１４を取り外した後、新たな蛍光灯１４を上述した取付作業と逆の手順で行うことで、新たな蛍光灯１４に交換する作業が完了する。
【００４８】
つぎに、第２〜４の実施形態の照明器具を図１３〜図１５に基づいて説明する。なお、第２〜４の実施形態において第１実施形態の照明器具１０と同一類似部材については同じ符号を付して説明を省略する。
【００４９】
（第２実施形態）
図１３に示すように、第２実施形態の照明器具５０は、第１開口２５および第２開口２６をそれぞれ側方で対面させたもので、その他の構成は際１実施形態の第１照明器具１０と同様である。
【００５０】
第２実施形態の照明器具５０によれば、蛍光灯１４を側方に着脱できるので、蛍光灯１４を上方に着脱する場合と比較して蛍光灯１４の着脱作業を一層容易に行うことができる。
加えて、第２実施形態の照明器具５０によれば、第１実施形態の照明器具１０と同様の効果を得ることができる。
【００５１】
（第３実施形態）
図１４に示すように、第３実施形態の照明器具６０は、第１開口２５および第２開口２６を完全に対面させないことで下向きに配置したもので、その他の構成は際１実施形態の第１照明器具１０と同様である。
【００５２】
第３実施形態の照明器具６０によれば、蛍光灯１４を側方下向きに着脱できるので、蛍光灯１４を上方に着脱する場合と比較して蛍光灯１４の着脱作業を一層容易に行うことができる。
加えて、第３実施形態の照明器具６０によれば、第１実施形態の照明器具１０と同様の効果を得ることができる。
【００５３】
（第４実施形態）
図１５に示すように、第４実施形態の照明器具７０は、器具本体１３を断面略矩形状に形成し、さらに器具本体１３の上面７１を天井１１に直接取り付け、加えて第１開口２５および第２開口２６をそれぞれ側方で対面させたもので、その他の構成は際１実施形態の第１照明器具１０と同様である。
【００５４】
第４実施形態の照明器具７０によれば、器具本体１３を断面略矩形状に形成し、器具本体１３の上面７１を天井１１に直接取り付けることで、天井１１への取付形態を吊具１２を用いて天井１１に懸架する形態および天井１１に直接取り付ける形態の二形態から適宜選択でき、使い勝手の向上が図れる。
【００５５】
第４実施形態の照明器具７０によれば、第２実施形態の照明器具５０と同様に、蛍光灯１４を側方に着脱できるので、蛍光灯１４を上方に着脱する場合と比較して蛍光灯１４の着脱作業を一層容易に行うことができる。
加えて、第４実施形態の照明器具７０によれば、第１実施形態の照明器具１０と同様の効果を得ることができる。
【００５６】
なお、前記第１実施形態では、第１開口２５を蛍光灯１４が挿通可能に形成した例について説明したが、これに限らないで、第２開口２６を蛍光灯１４が挿通可能に形成することも可能である。さらには、第１開口２５および第２開口２６の両方を蛍光灯１４が挿通可能に形成することも可能である。
【００５７】
また、前記第１実施形態では、器具本体１３の下側に形成した第２開口２６にルーバ１８を設けた例について説明したが、これに限らないで、第２開口２６にルーバ１８を設けないことも可能である。
【００５８】
さらに、前記第１〜第４の実施形態で示した器具本体１３、第１の反射部材１６、第２の反射部材１７、補強部材２０、第１開口２５、第２開口２６および切欠３８の形状は例示したものに限定するものではなく適宜変更が可能である。
【図面の簡単な説明】
【００５９】
【図１】本発明に係る照明器具の第１実施形態を下方から見た状態を示す側面図
【図２】第１実施形態の照明器具を上方から見た状態を示す側面図
【図３】第１実施形態の照明器具を示す断面図
【図４】図３のＡ−Ａ線断面図
【図５】第１実施形態の補強部材を示す斜視図
【図６】図５のＢ−Ｂ線断面図
【図７】第１実施形態の補強部材を示す断面図
【図８】第１実施形態の補強部材を立ち上げた状態を示す斜視図
【図９】図８のＣ−Ｃ線断面図
【図１０】第１実施形態の補強部材を立ち上げた状態を示す断面図
【図１１】第１実施形態の器具本体に設けられた蛍光灯を指で挟み込んだ状態を示す断面図
【図１２】第１実施形態の器具本体から蛍光灯を上方に外す状態を示す断面図
【図１３】本発明に係る照明器具の第２実施形態を示す断面図
【図１４】本発明に係る照明器具の第３実施形態を示す断面図
【図１５】本発明に係る照明器具の第４実施形態を示す断面図
【図１６】従来の照明器具を示す断面図
【図１７】（Ａ）〜（Ｃ）は従来のもう一つの照明器具を示す概略斜視図
【符号の説明】
【００６０】
１０，５０，６０，７０  照明器具
１３  器具本体
１４  蛍光灯
１５  一対のソケット
１６  第１の反射部材
１７  第２の反射部材
２０  補強部材
２５  第１開口
２６  第２開口
３３  回動軸
３４  長手方向中央部
３８  切欠
【図１】
2010103039.tif 000003
【図２】
2010103039.tif 000004
【図３】
2010103039.tif 000005
【図４】
2010103039.tif 000006
【図５】
2010103039.tif 000007
【図６】
2010103039.tif 000008
【図７】
2010103039.tif 000009
【図８】
2010103039.tif 000010
【図９】
2010103039.tif 000011
【図１０】
2010103039.tif 000012
【図１１】
2010103039.tif 000013
【図１２】
2010103039.tif 000014
【図１３】
2010103039.tif 000015
【図１４】
2010103039.tif 000016
【図１５】
2010103039.tif 000017
【図１６】
2010103039.tif 000018
【図１７】
2010103039.tif 000019